(57)【要約】  ヒトの眼鏡は、少なくとも、少なくとも１つのレンズを支持するためのフレームと、フレームに取り付けられたノーズブリッジと、を備える。ノーズブリッジは、ヒトの鼻の第１及び第２の側部に接触するように適応した第１及び第２のノーズパッドを有し、ノーズパッドは、３８度超の矢状角Ａでフレームに対して固定位置で保持される。眼鏡は、保護眼鏡、ゴーグル、サングラス、装飾眼鏡、及び／又は視力矯正眼鏡であり得る。眼鏡は、１つのレンズのみを備えてもよいし、２つの別個のレンズを備えてもよい。【選択図】図３
2013537319.tif 000002
【特許請求の範囲】
【請求項１】
ヒトの眼鏡であって、
ａ）少なくとも１つのレンズを支持するためのフレームと、
ｂ）前記フレームに取り付けられたノーズブリッジであって、ヒトの鼻の第１及び第２の側部に接触するように適応した第１及び第２のノーズパッドを備える、ノーズブリッジと、を備え、
前記ノーズパッドが、３８度超の矢状角Ａで前記フレームに対して固定位置で保持される、眼鏡。
【請求項２】
前記矢状角Ａが、４１度〜４３度である、請求項１に記載の眼鏡。
【請求項３】
前記矢状角Ａが、４１度超であり、前記ノーズパッドが、２５度超の正面角Ｂでも固定位置で保持されている、請求項１に記載の眼鏡。
【請求項４】
前記矢状角Ａが、４１度〜４３度であり、前記ノーズパッドが、２７度〜２９度の正面角Ｂでも固定位置で保持されている、請求項１に記載の眼鏡。
【請求項５】
前記眼鏡が保護眼鏡である、請求項１に記載の眼鏡。
【請求項６】
前記眼鏡がサングラスである、請求項１に記載の眼鏡。
【請求項７】
前記眼鏡が視力矯正眼鏡である、請求項１に記載の眼鏡。
【請求項８】
前記眼鏡がゴーグルである、請求項１に記載の眼鏡。
【請求項９】
前記眼鏡が装飾眼鏡である、請求項１に記載の眼鏡。
【請求項１０】
１つのレンズのみを備える、請求項１に記載の眼鏡。
【請求項１１】
２つの別個のレンズを備える、請求項１に記載の眼鏡。
【発明の詳細な説明】
【技術分野】
【０００１】
特に着用者の鼻に対して改善されたフィット感を示す、ヒトの眼鏡。
【背景技術】
【０００２】
ヒトの視力を正常又はほぼ正常に修正することを目的とする眼鏡、及びヒトの目を危害から保護することを目的とする保護眼鏡は、何世紀にもわたって知られている。どちらのタイプの眼鏡も通常、ヒトの鼻の上に、及び各耳の上に置かれる。眼鏡のフィット感がどのくらい優れているかというヒトの感じ方は、恐らくは眼鏡のレンズがヒトの目又は顔に近すぎるかどうか、あるいはその他の要因と共に、主に、鼻及び耳の上で眼鏡のフィット感がどのぐらい優れているかということにより影響される。
【０００３】
眼鏡のフィット感を改善するために使用される１つの方法は、それぞれがヒトの鼻の各側に接触する２つのノーズパッドを設け、各ノーズパッドをパッドアームと呼ばれる小さい可撓性のバネ又はワイヤに取り付けることである。次いでパッドアームは、各ノーズパッドがヒトの鼻のその対応する側に許容範囲にある位置で接触するように、光学専門家によって永久的に変形されることができる。ヒトがわずかに異なるやり方で、又はわずかに異なる位置で眼鏡をかけると、パッドアームは使用中に弾性的に変形して、わずかだが自動的に調整されることができる。
【０００４】
パッドアーム付きノーズパッドを有する眼鏡は幅広く使用されているが、いくつかの問題点が知られている。まず、それらは、所定の位置にパッドを有する、大量生産できる固定ノーズブリッジの眼鏡よりも高額であることである。第２に、それらは通常、使用者にわたすことができる前に、光学専門家が数分間費やしてパッドアームを手で調整する必要があり、それは光学ビジネスにおける要員条件及びコストを増大させる。第３に、もし眼鏡がぶつかったり潰されたりした場合、ノーズパッドを支持するバネ又はワイヤのパッドアームは、永久的に変形される可能性があり、それは通常、着用者が光学専門家の事務所に戻って眼鏡を修正及び再度フィットさせることを必要とする。
【０００５】
固定ノーズブリッジを有する眼鏡も、広い範囲にわたって、特にサングラス又は保護眼鏡として使用されてきた。固定ノーズブリッジは、典型的なヒトの鼻にフィットするように設計されており、フィット感は極めて満足のいくものではないかもしれないが、眼鏡の費用は多くの場合十分低いため、ユーザは、快適さを費用節約に引き換えることに前向きである。しかしながら、眼鏡のコストを増大させずに又は光学専門家の手による調節を必要とすることなしに、改善されたフィット感、特に鼻の領域のフィット感をもたらす眼鏡をヒトに提供することが望ましい。
【０００６】
特定タイプの眼鏡のフィット感を改善する試みに関する特定の先行技術は、米国特許第４，７６２，４０７号（Ａｎｇｅｒら）、同第６，０７４，０５８号（Ａｎｇｅｒ）、及び同第７，６４８，２３５号（Ｒｏｓｅｎｆｉｅｌｄ）に記載されている。
【発明の概要】
【課題を解決するための手段】
【０００７】
本発明の一実施形態では、少なくとも１つのレンズを支持するためのフレームと、フレームに取り付けられたノーズブリッジであって、ヒトの鼻の第１及び第２の側部に接触するように適応した第１及び第２のノーズパッドを備える、ノーズブリッジと、を備え、ノーズパッドが、３８度超の矢状角Ａでフレームに対して固定位置で保持される、ヒトの眼鏡が開示される。別の実施形態では、矢状角Ａは、４１度〜４３度である。更に別の実施形態では、矢状角Ａは、４１度超であり、ノーズパッドは、２５度超の正面角Ｂでも固定位置で保持されている。更なる実施形態では、矢状角Ａは、４１度〜４３度であり、ノーズパッドは、２７度〜２９度の正面角Ｂでも固定位置で保持されている。
【０００８】
本発明の眼鏡は、保護眼鏡、ゴーグル、サングラス、装飾眼鏡、及び／又は視力矯正眼鏡であり得る。眼鏡は、１つのレンズのみを備えてもよいし、２つの別個のレンズを備えてもよい。本発明のこれらの及びその他の特徴が、以下に詳述される。
【図面の簡単な説明】
【０００９】
本発明は図を参照して説明されるが、図中、同一の構造は、２つ以上の図において同一の参照番号で特定される。
【図１】本発明に関連して使用される材料固定具の立面斜視図。
【図２】図１に示される材料固定具に位置付けられた固定ノーズブリッジの眼鏡の立面斜視図。
【図３】本発明による固定ノーズブリッジの眼鏡の背面図。
【図４】本発明による固定ノーズブリッジの眼鏡の底面図。
【図５】本発明による固定ノーズブリッジの眼鏡の側面図。
【００１０】
本発明の一実施形態では、図に示される眼鏡及びその構成要素は正確な比率ではないが、本発明の他の実施形態では、図に示される眼鏡及びその構成要素は正確な比率であり、図は、特定の角度、相対距離、又はその他の関係をそのまま例示するのに使用されてよい。
【発明を実施するための形態】
【００１１】
本発明者らは、特定の臨界パラメーターを、以前に特定されたとは考えられていない範囲内に制御することにより、固定ノーズブリッジの眼鏡が、ユーザが従来の固定ノーズブリッジの眼鏡よりも著しく改善されたと感じるフィット感をもたらすことができると判断した。特に、固定ノーズブリッジが、以下に記載の１つ、２つ又は３つの臨界パラメーターを呈するように設計されているなら、ユーザの鼻の上での眼鏡のフィット感が著しく改善されると考えられている。本発明のこれらの及びその他の態様が、本明細書において詳述される。
【００１２】
本発明を十分に理解するのを助けるために、本発明の様々な実施形態の実施を成功させるのに重要だと思われる特定の角度関係に言及するのに、特定の用語が使用される。図１は、図２に示されるようなほとんど全ての眼鏡を置くことができる材料固定具又は治具を示す。このタイプの材料固定具を使用することにより、ほとんど全ての眼鏡の角度、又は距離、又はその他の寸法特性を対等基準で比較することができる。
【００１３】
材料固定具１０が図１に詳しく図解されている。材料固定具は、基板１２と、基板に対して垂直に縦に延びるように基板に取り付けられた裏板１４と、を含む。基板１２は、幅２００ミリメートル（ｍｍ）及び深さ１２５ｍｍであり、裏板は、幅２００ｍｍ及び高さ７０ｍｍである。支持ピン１６が裏板の幅に沿って中程に取り付けられ、支持ピンの中心は、裏板の上部から２２．８ｍｍ下にある。支持ピンは、基板の上方に基板と平行して１２５ｍｍの総距離だけ延びている。支持ピンの基部１６Ｂは、８６．６ｍｍの長さ及び３０ｍｍの直径を有し、ノーズパッド支持部１６Ａは、３８．４ｍｍの長さ及び２０ｍｍの直径を有する。ノーズパッド支持部１６Ａと基部１６Ｂとの間の直径の移行は、眼鏡が止め具１６Ｃに接触するまで裏板に向かって押されたときに、評価される眼鏡を位置決めするための止め具として機能する。裏板の上部１８は、眼鏡の耳当て部又はつまみのための支持体として機能する。
【００１４】
試験材料固定具１０に対して画定される３つの基準面が、眼鏡に関連する特定の角度を決定するのに使用される。基板を水平に位置決めし、材料固定具を支持ピンの自由端部から見ると（材料固定具の前側と呼ばれることがある）、矢状面２０が、支持ピン１６を縦に架空の左半分及び右半分に二等分又は分割する。横断面２２は、支持ピン１６を水平に架空の上半分及び下半分に二等分する。前面２４は、矢状面及び横断面の両方に直交しており、レンズ表面の最も前方の部分に接する。
【００１５】
これらの面に対して測定される特定の角度は、図３、４、及び５を参照して以下に更に詳述される。
【００１６】
図２は、図１に示されている材料固定具１０の上に位置決めされた典型的な眼鏡３０を図解する。眼鏡は、止め具１６Ｃに接して押し上げられており、耳当て部又はつまみ３２は裏板１８の上部１８に載っており、これによってヒトが着用したときに取る大体の位置に眼鏡が設置される。眼鏡は、鼻のブリッジの上を延びる単一の構造体を含んで、着用者の鼻の各側にノーズパッドを設けてもよく、又は各側に個々の別々のノーズパッド構造体を含んでもよいが、それらの配置は、本発明の目的に当てはまると考えられる。各眼鏡を図示されるように位置付けると、それらの構造が同じではない場合も、１つの眼鏡で測定される特定の角度を、別の眼鏡で測定される対応する角度と比較することができる。
【００１７】
図３、４、及び５は、本発明に従って設計された眼鏡３０の関連部分と同様、矢状面２０、横断面２２及び前面２４を図解する。明確にするために、試験材料固定具１０は図示されていないが、眼鏡３０があたかも図２に示されるように材料固定具上に位置決めされているかのように３つの面が例示されている。矢状角Ａが図３に示されているが、これは、矢状面２０と、前面２４と平行に延びるノーズパッド５０の表面との間の角度として画定されている。正面角Ｂが図４に示されているが、これは、矢状面２０と、横断面２２と平行に延びるノーズパッド５０の表面との間の角度として画定されている。前面角Ｃが図５に示されているが、これは、ノーズパッドの表面と、矢状面２０と平行に延びる前面２４との間の角度として画定されている。いずれの場合も、測定の目的で、ノーズパッドの表面は、ノーズパッドの支え面と接する平らな表面であると見なした。上述の角度は、眼鏡が対称であり、説明した角度の半分のみを測定する必要があることが想定されるが、全角度をそのまま測定する（例えば、矢状角Ａの場合は、１つのノーズパッドから反対側のノーズパッドまで測定する）ことも、明らかに本発明の範囲内である。更に、鼻の各側のノーズパッドは対称であることが想定されるが、製造中に典型的に起こる変形が起こる場合がある。
【００１８】
上記で指定される角度を使用して、本発明者らは、特定の人口に関する固定ノーズブリッジの眼鏡のノーズパッドの表面の最適な範囲は、以下であると判断した。
矢状角Ａ：好ましくは３８度超、より好ましくは４１度超、最も好ましくは４１度〜４３度。
正面角Ｂ：好ましくは２５度超、より好ましくは２７度超、最も好ましくは２７度〜２９度。
前面角Ｃ：好ましくは１２度〜約１６度、最も好ましくは約１３度〜約１４度。
【００１９】
上記で特定された角度のそれぞれ、及びこれらの角度の２つ又は３つ全ての各組み合わせは、特許請求される発明の特定の実施形態の性能に重要であると考えられている。具体的に言うと、一実施形態では、矢状角Ａが臨界パラメーターである。別の実施形態では、矢状角Ａ及び正面角Ｂがともに臨界パラメーターである。更なる実施形態では、角度Ｂが臨界パラメーターである、などである。規定された範囲内の角度を１つ、又は２つ、又は３つ全て有する、固定ノーズブリッジの眼鏡は、アジア系のヒトに典型的であると考えられる顔の特徴を有する特定のヒトに、より優れたフィット感をもたらすことがわかった。それ以上に、これまで「アジア人のフィット」に対して設計されていると言われている固定ノーズブリッジの眼鏡が、本明細書に記述され特許請求されている角度を呈さず、実際、本明細書に記述され特許請求されている発明に近い角度さえも呈していないようである。これは、本発明に従って作製された固定ノーズブリッジの眼鏡の実施例を参照して、以下に詳述される現在公的に入手可能な多くの固定ノーズブリッジの眼鏡と比較して説明される。
【実施例】
【００２０】
（実施例１）
本発明による固定ノーズブリッジの眼鏡の実施例は、光熱可塑性ポリカーボネートポリマーを使用して射出成形された。ノーズパッドは、保護眼鏡としての使用に設計された眼鏡のフレームと一体的に形成された。ノーズパッドは、６８．５ｍｍ２の面積を有する４．６ｍｍ×１４．９ｍｍの略長方形の支え面を有していた。ノーズパッドは、固定された空間的定位でそれらの中心間が１９ｍｍ離れた位置で眼鏡のフレームに配置されていた。眼鏡のつまみは、９９．１ｍｍ離れていた。
【００２１】
上述した代表的な眼鏡の矢状角、正面角、及び前面角が測定され、表１に示される。説明されているように眼鏡は、典型的なアジア人の顔にぴったり合っていると考えられており、アジア人の着用者が本発明の本実施形態による眼鏡のフィット感を試験したときに、その眼鏡は主観的によくフィットしているとされた。
【００２２】
比較実施例
現在市販されている、固定ノーズパッドを有するいくつかの眼鏡を、上述した３つの角度に対して評価した。結果を表１に示す。
【００２３】
【表１】
2013537319.tif 000003
【００２４】
評価結果から明らかなように、本発明の眼鏡は、測定された他の眼鏡とはかなり異なる角度位置で固定位置にあるノーズパッドを有する。更に重要なことには、本発明のノーズパッドの独特な位置決めは、本発明の眼鏡の改善されたフィット感に直接関与していると考えられており、その結果、上記のデータは、本分野における著しい改善を表すと考えられている。
【００２５】
いくつかの異なる実施形態を参照して本発明の眼鏡が説明されてきたが、それらの実施形態は、本発明を例示することを目的とし、制限するものではない。例えば、眼鏡は、ユーザの視野全体に延びる１つのレンズのみを備えてもよいし、２つの別個のレンズを備えてもよい。眼鏡は、保護眼鏡、サングラス、視力矯正のための眼鏡、ゴーグル、又はそれらの及びその他のタイプの眼鏡の組み合わせであり得る。
【図１】
2013537319.tif 000004
【図２】
2013537319.tif 000005
【図３】
2013537319.tif 000006
【図４】
2013537319.tif 000007
【図５】
2013537319.tif 000008
【国際調査報告】
2013537319.tif 000009
2013537319.tif 000010